(57)【要約】      （修正有）【課題】様々な種類、様々な難易度のパズルが楽しめ、パズルを解いていることが他者に悟られづらく、持ち運びやすく、書き込みやすい紙製品を提供する。【解決手段】綴込み金具を介して、取り付け、取り外し自在に用紙を綴じ込むため複数の穴を設けたシステム手帳用の用紙にパズルの問題を印刷する。用紙のサイズ、穴の位置を変えることにより、様々な大きさのシステム手帳に対応する。【選択図】図１
0003134406.tif 000002
【実用新案登録請求の範囲】
【請求項１】
綴込み金具を介して、取り付け、取り外し自在に用紙を綴じ込むシステム手帳用の、取り付けるための穴が複数設けられ、クロスワ−ドなどのパズルの問題が印刷されているパズル表示欄と、メモ等を記入するメモ記入欄とで構成される用紙。
【請求項２】
上記用紙には、パズルの問題を識別し、解答と答え合わせをするためのパズル番号表示欄と、パズルを解答する日付を記入する日付記入欄、正解までに要した時間を記入する時間記入欄、パズルを解くこつや問題のヒントを表示するアドバイス表示欄からなる請求項１に記載のシステム手帳用の用紙。
【考案の詳細な説明】
【技術分野】
【０００１】  システム手帳の用紙に関する。
【背景技術】
【０００２】  従来、クロスワ−ドなどのパズルが印刷された紙製品は、雑誌、新書、単行本、新聞に限られていた。
【考案の開示】
【考案が解決しようとする課題】
【０００３】  そのため、パズルを自宅以外で楽しむためには、雑誌、新書、単行本、新聞を持ち運ばなければならなかった。【０００４】  パズルを掲載する雑誌はほとんどの場合、タテ２５７ミリメ−トル、ヨコ２１０ミリメ−トル以上の大きさとなっていて、持ち運ぶには大きすぎる。【０００５】  パズルを掲載する雑誌は、多くの場合、表紙と背表紙が薄い紙製となっていて、電車やバスなどの交通機関で、立った状態で解答すると、湾曲し、書き込みづらい。【０００６】  新書や単行本などの書籍は製本の形態から、ペ−ジが開きづらい。電車やバスなどの交通機関において、立った状態でパズルを解答するには、片手で目的のペ−ジを開いていなければならないので、書き込みづらい。【０００７】  パズルが掲載されている雑誌、新書、単行本は、表紙にパズルに関する商品であることが明記されているため、パズルを解いているのが、他者に悟られてしまう。【０００８】  クロスワ−ドなどのパズルが掲載されている雑誌、新書、単行本、新聞を自宅以外で楽しむ際には、筆記用具を別に持ち運ぶ必要がある。【０００９】  パズルが掲載されている雑誌、新書、単行本を自宅以外で楽しむ際には、大半の問題が解答してあっても一冊まるごと持ち運ぶ必要がある。【００１０】  パズルが掲載されている雑誌、新書、単行本は、パズルの種類ごとに商品が分かれており、自宅以外で、さまざまなパズルを楽しむには、雑誌、新書、単行本を複数もち運ぶ必要がある。
【課題が解決するための手段】
【００１１】  綴込み金具を介して、取り付け、取り外し自在に用紙を綴じ込むシステム手帳用の用紙にパズルの問題を印刷する。
【考案の効果】
【００１２】  本考案により、パズルが印刷された用紙を、システム手帳にとじこむことができる。パズルが掲載された雑誌、新書、単行本、新聞を持ち運ばなくても、システム手帳を持ち運べば、どこでもパズルを楽しむことができる。
【００１３】  タテ１７０ミリメ−トル、ヨコ９５ミリメ−トルという通常のシステム手帳のサイズは、通常タテ２５７ミリメ−トル、ヨコ２１０ミリメ−トルというパズルが掲載された雑誌と比べ、小さく、持ち運びやすい。
【００１４】  システム手帳には、通常固い表紙と背表紙がついているので、立った状態で、片手で持っていても湾曲せず、書き込みやすい。
【００１５】  システム手帳の綴り込み金具にパズルが印刷された用紙をとじこむので、パズルを掲載した新書、単行本と比べ、右ペ−ジでも左ペ−シでも、ペ−ジ先頭でもペ−ジ後尾でも軽快に開き、同様に解きやすい。また、立っている場合でも、ペ−ジが開くように押さえている必要が無く、解きやすい。
【００１６】  本考案をシステム手帳にとじこむことにより、パズルを解いていることが他者に悟られづらい。よって、より多くの環境で楽しむのに適する形態となる。
【００１７】  システム手帳は、多くの場合、筆記用具を付属させることができるので、筆記用具を別に持ち歩く必要がない。
【００１８】  クロスワ−ドなどのパズルを掲載した雑誌、新書、単行本と違い、解答したい問題が印刷された用紙だけを選び、持ち運ぶことができる。
【００１９】  本考案により、パズルの難易度、パズルの種類がちがう商品から、任意の用紙を選び、システム手帳にとじこむことができる。それにより、パズルの掲載された書籍や雑誌を複数持ち歩かなくても、自宅以外でさまざまなパズルを一度に楽しむことができる。
【考案を実施するための最良の形態】
【００２０】  綴り込み金具を介して、システム手帳に取り付け、取り外し自在にするための穴を複数設ける。【００２１】  用紙のサイズ、穴の位置を変えることによって、様々な大きさのシステム手帳に対応する。【００２２】  「クロスワ−ド」をはじめ、「ナンバ−クロス」または「ナンクロ」と呼ばれるパズル、「ナンバ−プレス」または「ナンプレ」または「数独」と呼ばれるパズル、「お絵かきロジック」または「イラストロジック」または「ぬりぬりロジック」と呼ばれるパズル、漢字パズルなど、様々なパズルを掲載する。【００２３】  本考案は、用紙の両面にパズルを印刷する。【００２４】  パズルが印刷されているパズル表示欄には、１問から複数のパズルの問題を掲載する。【００２５】  鉛筆、シャ−プペンシル、ボ−ルペン、サインペン、万年筆などで記入しでも裏映りせず、消しゴムで消しやすく、破れづらく、薄く手帳に厚みが出ない紙が望ましい。【００２６】  黒、紺、茶、緑などの濃く、読みやすい色で印刷するのが望ましい。【００２７】  各用紙には、各パズルの問題を識別し、解答と答え合わせをするためのパズル番号表示欄が設けられる。数字は大きく、見やすいものが望ましい。【００２８】  各用紙には、パズルを解答する日付を書き込むための日付記入欄が設けられる。日付記入欄には、月と日を分ける「／」が印刷されている。いつどのパズルを解いたか記録することができる。【００２９】  解答するまでの時間を記入するための時間記入欄が設けられる。時間記入欄には「分」を記入するのを省略するための「ｍｉｎ．」が印刷されている。どの問題が短い時間で解答でき、また、どの問題が解答するまでの時間がかかったかがわかる。また、多くの問題に記録していくと、パズルを解くことの上達具合がわかる。【００３０】  パズルを解答する上でのメモなど、さまざまなことをメモするためのメモ記入欄が設けられる。メモ記入欄には、罫線がひかれ、メモを記入する際に、文章が上下にぶれずに、書き込みやすくなっている。【００３１】  アドバイス表示欄には、問題を解く上でのヒントや、パズルを解くコツが表示される。
【図面の簡単な説明】
【００３２】
【図１】  綴込み金具を介して、取り付け、取り外し自在に用紙を綴じ込むシステム手帳用の、取り付けるための穴が複数設けられ、クロスワ−ドなどのパズルの問題が印刷されている用紙。（１枚）
【図２】  本考案のパズルが印刷された用紙を、システム手帳に綴じ込んだ図。
【符号の説明】
【００３３】  １  パズル番号表示欄
２  日付記入欄
３  時間記入欄
４  綴り込み金具を介して、システム手帳に取り付け、取り外し自在にするための穴
５  パズル表示欄
６  メモ記入欄
７  アドバイス表示欄
【図１】
0003134406.tif 000003
【図２】
0003134406.tif 000004